(57)【要約】【課題】  汚れを容易に落とすことができる網戸を提供すること。【解決手段】  第一の縦枠体１０１Ａと第二の縦枠体１０１Ｂと上枠体１０１Ｃと下枠体１０１Ｄとにより矩形状に形成されている枠体１０１の内、上枠体１０１Ｃには、枠体１０１に取り付けた網１０２に水を垂らすための給水用貫通孔１０４が形成されていることを特徴とする網戸１００を提供する。【選択図】    図１
2005139750.tif 000002
【特許請求の範囲】
【請求項１】
網戸用の枠体であって、
前記枠体の内、上方に位置する枠体には、給水用貫通孔が少なくとも一つ形成されており、前記給水用貫通孔に水を供給することで、前記枠体に取り付けた網に水を垂らすことができるようにしたことを特徴とする枠体。
【請求項２】
前記給水用貫通孔は、前記枠体の側面に形成されていることを特徴とする請求項１に記載の枠体。
【請求項３】
上方に位置する前記枠体内には、保水材が挿入されていることを特徴とする請求項１又は２に記載の枠体。
【請求項４】
請求項１乃至３の何れか一項に記載の枠体に網を取り付けたことを特徴とする網戸。
【請求項５】
前記網は、光触媒を含有したコーティングを施したものであることを特徴とする請求項４に記載の網戸。
【発明の詳細な説明】
【技術分野】
【０００１】
本発明は、網戸用の枠体及びこの枠体を有する網戸に関する。
【背景技術】
【０００２】
家等の窓には、蚊や蠅等が室内に入り込まないように、従来から網戸が取り付けられている（例えば、特許文献１参照）。
【０００３】
このような網戸は屋外に設置されるため、汚れが付着する。
【０００４】
網戸に付着した汚れは、水をかけることにより除去するのが一般的であるが、水で除去することが困難な油脂等が混合されると、水での除去は困難となる。
【０００５】
そこで、油脂等が混合された汚れを容易に除去するために、酸化チタン（ＴｉＯ2）に代表される光触媒を網戸に塗布し、光触媒の光誘起酸化分解反応により油脂等を分解し、光触媒の光誘起親水化反応により網戸への汚れの固着を防止して、雨が降った際の雨水により網戸のクリーニングを行ういわゆるセルフクリーニングも行われている（例えば、特許文献２参照）。
【特許文献１】特開平１１−２８７０７８号公報
【特許文献２】特開平９−１９５６４７号公報
【発明の開示】
【発明が解決しようとする課題】
【０００６】
しかしながら、網戸の外側から水をかけて水洗いをする場合、かけた水が窓等にもかかり、網戸を洗うとともに窓も洗わなければならず不便であった。
【０００７】
また、上述したセルフクリーニングでは、降水量の少ない地域や時期では、網戸に汚れが堆積してしまう。
【０００８】
そこで、本発明は、容易に汚れを除去することができる網戸用の枠体及びこのような枠体を用いた網戸を提供することを目的とする。
【課題を解決するための手段】
【０００９】
以上の課題を解決するため、本発明は、網戸用の枠体であって、前記枠体の内、上方に位置する枠体には、給水用貫通孔が少なくとも一つ形成されており、前記給水用貫通孔に水を供給することで、前記枠体に取り付けた網に水を垂らすことができるようにしたことを特徴とする枠体を提供する。
【００１０】
このような枠体を提供することにより、枠体に設けられている給水用貫通孔から網に水を垂らすことにより、容易に網に付いた汚れを除去することができるようになる。
【００１１】
ここで、このような給水用貫通孔については、枠体の側面に形成しておくことで、容易に水を供給することができるようになる。
【００１２】
また、枠体の内、上方に位置する枠体内に、保水材を挿入しておくことで、枠体に取り付けた網に対して水を均等に垂らすことができるようになる。
【００１３】
なお、このような枠体は、枠体単体で提供しても良いし、網を取り付けた網戸として提供することもできる。
【００１４】
また、このような枠体に取り付ける網については、光触媒を含有したコーティングを施したものを用いることで、降水量の少ない地域や時期でも網戸の汚れを除去することができるようになる。
【発明の効果】
【００１５】
以上のように、本発明によれば、網戸用の枠体の内、上方に位置する枠体に給水用貫通孔が形成されているため、この給水用貫通孔に水を供給し、網に水を垂らすことで、容易に汚れを除去することができるようになる。
【発明を実施するための最良の形態】
【００１６】
図１は、本発明の一実施形態に係る網戸１００の正面図である。
【００１７】
本実施形態に係る網戸１００は、枠体１０１及び網１０２により構成されている。
【００１８】
枠体１０１は、上下方向に延びる第一の縦枠体１０１Ａ及び第二の縦枠体１０１Ｂと、第一の縦枠体１０１Ａ及び第二の縦枠体１０１Ｂの上端を連結する上枠体１０１Ｃと、第一の縦枠体１０１Ａ及び第二の縦枠体１０１Ｂの下端を連結する下枠体１０１Ｄと、により矩形状に形成されている。
【００１９】
本実施形態に係る枠体１０１は、耐腐食性に優れるアルミニウムにより形成されているが、これに限定されるわけではない。
【００２０】
図２（上枠体１０１Ｃの縦断面図）に表されているように、枠体１０１の内、上枠体１０１Ｃは、下方を解放したコの字状に形成されており、コの字状に形成された上枠体１０１Ｃの内部には、ウレタン素材からなる保水材１０３が挿入されている。
【００２１】
保水材１０３は、後述する給水用貫通孔１０４から供給された水を吸収することができるように多数の気泡を有するスポンジ状に形成されている。
【００２２】
コの字状に形成された上枠体１０１Ｃの両側面には、給水用貫通孔１０４が設けられており、この給水用貫通孔１０４を介して上枠体１０１Ｃの内部に挿入されている保水材１０３に水を補給することができるようにされている。
【００２３】
ここで、本実施形態においては、上枠体１０１Ｃの片方の側面に四つの給水用貫通孔１０４がそれぞれ等しい間隔を離して形成されているが（図１の裏面側の側面の同じ位置に、給水用貫通孔１０４が形成されている）、この数及び位置については、適切に水を補給することができる範囲で適時変更可能である。
【００２４】
枠体１０１の内側には、網１０２が取り付けられている。
【００２５】
本実施形態における網１０２については、縦糸１０２ａと横糸１０２ｂとを格子状に編み込むことにより形成されているが、このような態様に限定されるわけではなく、通気性を有するとともに、蚊や蠅などの虫が室内に入り込むことを防止することができる範囲で適時選択することができ、例えば、適度な間隔で孔を穿ったメッシュ状のものを用いることもできる。
【００２６】
ここで、網１０２を形成する縦糸１０２ａ及び横糸１０２ｂの表面には、光触媒である酸化チタン（ＴｉＯ2）を含有するコーティング被膜が形成されている。
【００２７】
このように、酸化チタンを含有するコーティング被膜を施すことにより、網１０２に太陽光や蛍光灯の光が照射されると、酸化チタンの内部で正孔（ｈ+）及び電子（ｅ-）を生成して、有機物を酸化分解することで（光誘起酸化分解反応）、油脂等の汚れを分解することができるようになる。
【００２８】
また、酸化チタンに太陽光や蛍光灯の光が照射されると、酸化チタンの表面に水との親和性の高い−ＯＨ（親水基）が形成されることで（光誘起親水化反応）、水の薄膜が形成されて、網１０２に汚れが固着してしまうことを防止して、水により容易に汚れを落とすことができるようになる。
【００２９】
以上のように、本実施形態に係る網戸１００を形成したので、枠体１０１の上枠体１０１Ｃに形成されている給水用貫通孔１０４に水を補給し、上枠体１０１Ｃの内部に挿入されている保水材１０３に水を含ませ、この保水材１０３の保水力以上に水を供給することにより、この枠体１０１の内側に取り付けられている網１０２に水を垂らすことができるようになる。
【００３０】
そして、網１０２は酸化チタンを含有するコーティング被膜が施された縦糸１０２ａと横糸１０２ｂとにより形成されているため、油脂等の汚れが分解され、かつ、水の薄膜で汚れが隔離されているため、垂らした水により容易に汚れを落とすことができるようになる。
【００３１】
なお、本実施形態では、上枠体１０１Ｃの両側面に給水用貫通孔１０３を設けたが、このような態様に限られず、上枠体１０１Ｃの片方の側面にのみ給水用貫通孔１０３を設けることも可能である。
【００３２】
また、本実施形態においては、上枠体１０１Ｃ内に挿入する保水材１０３をウレタン素材により形成したが、これに限定されるわけではなく、例えば、ポリエチレンやセルロースにより形成することも可能である。
【００３３】
さらに、本実施形態においては、網１０２に酸化チタンによるコーティングを施したが、酸化チタンに限られるわけではなく、少なくとも光誘起酸化分解反応を有する光触媒、例えば、ペロブスカイト型遷移金属酸化物（ＳｒＴｉＯ3）、酸化亜鉛（ＺｎＯ）、硫化カドニウム（ＣｄＳ）、酸化スズ（ＳｎＯ2）等を使用することも可能である。
【図面の簡単な説明】
【００３４】
【図１】一実施形態に係る網戸１００の正面図。
【図２】上枠体１０１Ｃの縦断面図。
【符号の説明】
【００３５】
１００  網戸
１０１  枠体
１０２  網
１０３  保水材
１０４  貫通孔
【図１】
2005139750.tif 000003
【図２】
2005139750.tif 000004